(57)【要約】【課題】  復号鍵生成用鍵情報を量子通信し、他の情報を通常通信しながら、伝送路コストを低減できる暗号通信システムを提供する。【解決手段】  本発明の暗号通信システムでは、送信装置から受信装置へ、量子情報（復号鍵生成用鍵情報）の他、この量子情報に係る時刻情報、送信側で生成した暗号鍵と受信側で生成した復号鍵との不一致を是正するための誤り訂正情報、及び、暗号文を、通常通信によって転送する。送信装置においては、時刻情報、誤り訂正情報及び暗号文の内の少なくとも２種類を、多重して、送信される量子情報のビットレートの倍数又は倍数分の１の周期を有するフレームを形成し、このフレームを、量子情報の送信と同期させて送信する。受信装置においては、受信フレームからクロック信号を抽出すると共に、受信フレームを多重分離する。【選択図】      図１
2008005046.tif 000002
【特許請求の範囲】
【請求項１】
暗号送信装置から暗号受信装置へ、復号鍵の生成に利用される復号鍵生成用鍵情報を量子情報として量子通信によって転送すると共に、上記復号鍵生成用鍵情報に係る時刻情報、上記暗号送信装置で生成された暗号鍵と上記暗号受信装置で復号鍵生成用鍵情報に基づいて生成された復号鍵との不一致を是正するための誤り訂正情報、及び、上記暗号鍵を用いて平文を暗号化した暗号文を、量子通信ではない通常通信によって転送する暗号通信システムにおいて、
上記暗号送信装置は、
上記時刻情報、上記誤り訂正情報及び上記暗号文の内の少なくとも２種類を、多重して、送信される上記量子情報のビットレートの倍数又は倍数分の１の周期を有するフレームを形成する多重化・フレーム化手段と、
上記フレームを、上記量子情報の送信と同期させて送信するフレーム通常送信手段とを備え、
上記暗号受信装置は、
受信したフレームから、クロック信号を抽出するクロック信号抽出手段と、
受信したフレームを多重分離するフレーム同期・情報抽出手段とを備える
ことを特徴とする暗号通信システム。
【請求項２】
上記暗号送信装置において、暗号鍵を生成する暗号鍵生成手段は、生成した暗号鍵の一部を除外して、暗号文の作成に用いる最終的な暗号鍵を生成するプライバシ増幅手段を備え、
上記暗号受信装置において、復号鍵を生成する復号鍵生成手段は、生成した復号鍵の一部を除外して、暗号文の復号に用いる最終的な復号鍵を生成するプライバシ増幅手段を備える
ことを特徴とする請求項１に記載の暗号通信システム。
【請求項３】
上記暗号送信装置は、上記量子情報と上記フレームとを波長多重して波長多重用伝送路に送出する波長合波手段を備え、
上記暗号受信装置は、上記波長多重用伝送路からの波長多重信号を多重分離する波長分波手段を備える
ことを特徴とする請求項１又は２に記載の暗号通信システム。
【請求項４】
上記暗号送信装置は、上記量子情報と上記フレームとをスイッチングによって時分割多重して時分割多重用伝送路に送出する送信側光スイッチを備え、
上記暗号受信装置は、上記時分割多重用伝送路からの時分割多重信号をスイッチングによって多重分離する受信側光スイッチを備える
ことを特徴とする請求項１又は２に記載の暗号通信システム。
【請求項５】
暗号送信装置から暗号受信装置へ、復号鍵の生成に利用される復号鍵生成用鍵情報を量子情報として量子通信によって転送すると共に、上記復号鍵生成用鍵情報に係る時刻情報、及び、上記暗号鍵を用いて平文を暗号化した暗号文を、量子通信ではない通常通信によって転送する暗号通信システムであって、
上記暗号送信装置は、
上記暗号鍵を用いて平文を暗号化する暗号化手段に至る前に設けられ、平文に対して、少なくとも誤り訂正符号を付加する符号付加手段を備え、
上記暗号受信装置は、
上記復号鍵を用いて暗号文を復号化する復号化手段の後に設けられ、復号された平文に対して、付加されている誤り訂正符号に基づいた誤り訂正を行う平文誤り処理手段を備えると共に、
システム内に復号鍵自体に対する誤り訂正機能を備えない
ことを特徴とする暗号通信システム。
【請求項６】
上記暗号送信装置の上記符号付加手段は、誤り検出符号を付加する機能も有すると共に、上記暗号受信装置の平文誤り処理手段は、誤り検出符号に基づいた誤り検出機能と、検出された誤りに基づいた誤りに係る統計情報を得る機能を有し、
上記暗号受信装置は、誤り統計情報を送信する誤り統計情報送信手段を備えると共に、上記暗号送信装置は、誤り統計情報を受信する誤り統計情報受信手段を備える
ことを特徴とする請求項５に記載の暗号通信システム。
【請求項７】
上記暗号送信装置の上記符号付加手段は、受信した誤り統計情報に基づき、誤り訂正符号の強さを動的に変更することを特徴とする暗号通信システム。
【請求項８】
上記時刻情報と上記暗号文とをフレーム化して上記暗号送信装置から上記暗号受信装置へ転送することを特徴とする請求項５〜７のいずれかに記載の暗号通信システム。
【請求項９】
上記量子情報と上記フレームとを波長多重して上記暗号送信装置から上記暗号受信装置へ転送することを特徴とする請求項５〜８のいずれかに記載の暗号通信システム。
【請求項１０】
上記量子情報と上記フレームとをスイッチングによって時分割多重して上記暗号送信装置から上記暗号受信装置へ転送することを特徴とする請求項５〜８のいずれかに記載の暗号通信システム。
【発明の詳細な説明】
【技術分野】
【０００１】
本発明は暗号通信システムに関し、例えば、量子光通信（適宜、量子通信と呼ぶ）技術を用いた暗号通信に適用し得るものである。
【背景技術】
【０００２】
最近、特許文献１や非特許文献１に示されるような量子暗号通信技術が注目されている。非特許文献１に記載の量子暗号通信システムの説明の前に、そこに至った背景を説明する。
【０００３】
図６に、基本的な量子暗号通信システムの構成を示す。この通信システムでは、平文を、光量子送信機１で暗号化して伝送路に出力し、光量子受信機２で受信して、平文に復号化して出力する。この暗号通信系で特徴的なことは、光量子１個１個に別々の情報を載せて送ることである。
【０００４】
従って、盗聴者が、信号の一部を盗み見した場合、到着する量子が減少するため、盗聴を検出することができる。つまり、盗聴された場合、即座に情報の転送を中止することで、通信の安全性を確保できる。盗聴者が、信号の一部を盗み見て、その情報を取得した後、再度、光量子を入れることで、盗聴の事実を隠そうとした場合であっても、一度観測されると、量子状態は元にもどせない。以上により、盗聴された事実を送受信者が検知できるため、安全と言われてしる。
【０００５】
しかし、図６に示す量子暗号通信システムの実現は、現時点では極めて困難である。
【０００６】
その理由は、伝送路で情報が損なわれたり、受信機の光子検出率が１００％に満たなかったり、誤り率が大きかったりするからである。その対策として、信号に誤り訂正を行ったり、冗長な信号を付加したりすることも考えられるが、そのような手法は、盗聴者による攻撃に対する脆弱性となる。
【０００７】
以上の点を改良した量子暗号通信システムとして、非特許文献１に記載の量子暗号通信システムがあり、その概念構成を図７に示す。
【０００８】
図７において、送信側装置１０は、光量子送信機１１、時刻情報送受信機１２、誤り訂正情報送受信機１３、暗号文送信機１４及び制御装置１５を備え、一方、受信側装置２０は、光量子受信機２１、時刻情報送受信機２２、誤り訂正情報送受信機２３、暗号文受信機２４及び制御装置２５を備える。光量子送信機１１及び光量子受信機２１間で暗号鍵（又はその種の情報）を授受し、時刻情報送受信機１２及び時刻情報送受信機２２間で時刻情報を授受し、誤り訂正情報送受信機１３及び誤り訂正情報送受信機２３間で誤り訂正情報を授受し、暗号文送信機１４及び暗号文受信機２４間で暗号文を授受し、これらの情報の送受信を制御装置１５及び２５が制御する。
【０００９】
上述した図６に示すシステムが、光量子送信機において「暗号化された平文＝（暗号文）」を送ろうとしていることに対して、図７のシステムでは、光量子送信機１１は、暗号鍵の情報だけを送り、暗号文は、暗号文送信機１４によって、量子暗号を使用しない別の伝送路で送ることを特徴としている。
【００１０】
図７の暗号通信システムでも、量子通信で送られる暗号鍵の一部が伝送路で失われたり、受信機で受信できない場合があるのは、図６の場合と同様である。
【００１１】
そこで、送信側から受信側に暗号鍵作成用情報として乱数を送り、受信側では、受信できた情報だけを用いて復号鍵（この明細書においては復号鍵も適宜暗号鍵と表現する）を作成し、受信側から送信側に受信できた時刻情報だけを送り、送信側では、送信時刻情報から鍵を構成する。
【００１２】
この鍵を用いて平文を暗号化し、作成した暗号文を受信側に送る。受信側から送信側に送る情報は時刻情報だけであるので、盗聴されても安全性に支障はない。暗号鍵の送受信時刻情報は、時刻情報送受信機１２、２２を用いて送受信する。
【００１３】
また、暗号鍵を送受信する際、受信側装置２０で「１」と「０」を誤って受信する可能性があるが、これは、誤り訂正を行うことで解消する。この誤り訂正の段階では、盗聴によって、鍵情報の一部が流出する可能性がある。これを回避するため、誤り訂正の後、鍵情報の一部を廃棄するプライバシ増幅操作を行うことで、情報理論的に安全性の回復を行う。誤り訂正情報の授受は、誤り訂正情報送受信機１３、２３間で行う。
【００１４】
暗号文送信機１４が平文を暗号化して暗号文受信機２４に送信し、暗号文受信機２４が暗号文を平文に戻す。
【００１５】
以上のように、暗号鍵の送受信のみ量子通信方法を適用し、それ以外の送受信には古典的な通信方法を用いている。
【００１６】
なお、暗号文は、量子暗号ではないため、その安全性に対する疑問があると思われるが、平文の長さと等しい長さの暗号鍵を用いれば、情報理論的に破ることが不可能とされている。これは、無限大の計算能力を有する計算機でも不可能とされている。
【特許文献１】特開２００５−０１２６３１号公報
【非特許文献１】www.rcast.u-tokyo.ac.jp/ja/research/meeting/2005/0413/pdf/01.pdf
【発明の開示】
【発明が解決しようとする課題】
【００１７】
しかしながら、図７で示す量子通信技術を用いた暗号通信システムにおいては、以下のような２つの課題があった。
【００１８】
第１の課題は、暗号鍵の送受信と他の情報の送受信とは別の伝送路を用いており、しかも、他の情報である同期用時刻情報、受信時刻情報、誤り訂正情報及び暗号文は、共通の伝送路で同時に送信することができなかった。
【００１９】
従って、これまでは、同期用時刻情報と暗号文は、別々の時刻に送受信するか、別の送受信機を用いるしかなかった。しかし、これは、装置の利便性を損なったり、コストを上昇させたりする要因となっていた。
【００２０】
第２の課題は、暗号鍵の情報を受信した際に、「１」と「０」を誤って受信する可能性があり、これを訂正するため、情報の送受信に先立って、暗号鍵の誤り訂正を行う必要があった。この複雑な操作のために、装置を起動してから、情報の送受信を行うまでに時間がかかるという課題があった。
【００２１】
そのため、伝送路コストを低減できる量子光通信技術を用いた暗号通信システム及び方法が望まれており、また、暗号文の送信を開始するまでの時間を短縮できる量子光通信技術を用いた暗号通信システム及び方法が望まれている。
【課題を解決するための手段】
【００２２】
第１の本発明は、暗号送信装置から暗号受信装置へ、復号鍵の生成に利用される復号鍵生成用鍵情報を量子情報として量子通信によって転送すると共に、上記復号鍵生成用鍵情報に係る時刻情報、上記暗号送信装置で生成された暗号鍵と上記暗号受信装置で復号鍵生成用鍵情報に基づいて生成された復号鍵との不一致を是正するための誤り訂正情報、及び、上記暗号鍵を用いて平文を暗号化した暗号文を、量子通信ではない通常通信によって転送する暗号通信システムにおいて、（１）上記暗号送信装置は、（１−１）上記時刻情報、上記誤り訂正情報及び上記暗号文の内の少なくとも２種類を、多重して、送信される上記量子情報のビットレートの倍数又は倍数分の１の周期を有するフレームを形成する多重化・フレーム化手段と、（１−２）上記フレームを、上記量子情報の送信と同期させて送信するフレーム通常送信手段とを備え、（２）上記暗号受信装置は、（２−１）受信したフレームから、クロック信号を抽出するクロック信号抽出手段と、（２−２）受信したフレームを多重分離するフレーム同期・情報抽出手段とを備えることを特徴とする。
【００２３】
第２の本発明は、暗号送信装置から暗号受信装置へ、復号鍵の生成に利用される復号鍵生成用鍵情報を量子情報として量子通信によって転送すると共に、上記復号鍵生成用鍵情報に係る時刻情報、及び、上記暗号鍵を用いて平文を暗号化した暗号文を、量子通信ではない通常通信によって転送する暗号通信システムであって、（１）上記暗号送信装置は、上記暗号鍵を用いて平文を暗号化する暗号化手段に至る前に設けられ、平文に対して、少なくとも誤り訂正符号を付加する符号付加手段を備え、（２）上記暗号受信装置は、上記復号鍵を用いて暗号文を復号化する復号化手段の後に設けられ、復号された平文に対して、付加されている誤り訂正符号に基づいた誤り訂正を行う平文誤り処理手段を備えると共に、（３）システム内に復号鍵自体に対する誤り訂正機能を備えないことを特徴とする。
【発明の効果】
【００２４】
第１の本発明によれば、伝送路コストを低減できる量子光通信技術を用いた暗号通信システムを提供できる。また、第２の本発明によれば、暗号文の送信を開始するまでの時間を短縮できる量子光通信技術を用いた暗号通信システムを提供できる。
【発明を実施するための最良の形態】
【００２５】
（Ａ）第１の実施形態
以下、本発明による暗号通信システムの第１の実施形態を、図面を参照しながら詳述する。
【００２６】
（Ａ−１）第１の実施形態の構成
図１は、第１の実施形態の暗号通信システムの構成を示すブロック図である。
【００２７】
図１において、第１の実施形態の暗号通信システム５０は、暗号送信装置１００及び暗号受信装置２００が３本の伝送路によって接続されて構成されている。
【００２８】
暗号送信装置１００は、乱数発生手段１０１、量子送信手段１０２、クロック信号発生手段１０３、通常送信手段１０４、時刻情報生成手段１０５、暗号鍵作成用情報記憶手段１０６、暗号鍵生成手段１０７、暗号化手段１０８、多重化・フレーム化手段１０９及び通常受信手段１１０を有し、暗号鍵生成手段１０７は、誤り訂正手段１１１とプライバシ増幅手段１１２を有する。
【００２９】
一方、暗号受信装置２００は、量子受信手段２０１、暗号鍵作成用情報記憶手段２０２、通常受信手段２０３、クロック信号抽出手段２０４、フレーム同期・情報抽出手段２０５、暗号鍵生成手段２０６、復号化手段２０７及び通常送信手段２０８を有し、暗号鍵生成手段２０６は、誤り訂正手段２０９とプライバシ増幅手段２１０を有する。
【００３０】
暗号送信装置１００の各手段１０１〜１１２や暗号受信装置２００の各手段２０１〜２１０の機能については、動作の説明の項で明らかにする。
【００３１】
（Ａ−２）第１の実施形態の動作
次に、第１の実施形態の暗号通信システム５０の動作を説明する。
【００３２】
暗号送信装置１００においては、暗号鍵の種となる乱数を乱数発生手段１０１が発生する。量子送信手段１０２は、その乱数を、クロック信号発生手段１０３が生成したクロックに同期させて受信装置２００側に送信する。量子送信手段１０２は、例えば、差動位相シフト方式に従って量子送信を行う。すなわち、乱数の「０」、「１」をそれぞれ、内蔵する位相変調器によって、光信号の位相「０」、「π」に対応付けて送信する。
【００３３】
時刻情報生成手段１０５は、乱数を送信した時刻の情報を、クロック信号発生手段１０３が生成したクロックに基づいて生成する。送信された乱数（暗号鍵の種の情報）は、暗号鍵作成用の情報として、暗号鍵作成用情報記憶手段１０６に、生成された時刻情報として記憶される。
【００３４】
時刻情報生成手段１０５によって生成された時刻情報は、多重化・フレーム化手段１０９にも与えられ、後述する誤り訂正情報や暗号文と共に、多重化・フレーム化手段１０９によってフレーム化される。作成フレームは、通常送信手段１０４によって、クロック信号発生手段１０３が生成したクロックに同期して受信装置２００側に送信される。
【００３５】
多重化・フレーム化手段１０９は、例えば、時刻情報、誤り訂正情報、暗号文を、時分割多重する。また、多重化・フレーム化手段１０９は、例えば、ＳＤＨ（Ｓｙｎｃｈｒｏｎｏｕｓ  Ｄｉｇｉｔａｌ  Ｈｉｅｒａｒｃｈｙ）方式に従ってフレーム化する。フレーム化の際には、多重化された情報の区切りがどこであるかを暗号受信装置２００側で認識し得るように、時刻情報、誤り訂正情報、暗号文の区切りに目印を付与する。また、フレームの周期は、同一のクロックに同期した量子送信のビットレートの倍数（又は倍数分の１）となっており、フレーム送信と量子送信とは同期している。通常送信手段１０４は、量子通信方法以外の既存のいずれかの通信方法（例えば、既存の光通信方法）に従って、フレームを送信する。
【００３６】
ここで、１個のフレームには時刻情報、誤り訂正情報及び暗号文が全て挿入されている必要はなく、一部の情報が空欄（オール１やオール０など）であっても良い。例えば、時刻情報が挿入されているフレームの誤り訂正情報及び暗号文の欄は空欄であっても良く、また例えば、誤り訂正情報が挿入されているフレームの時刻情報及び暗号文の欄は空欄であっても良く、さらに例えば、暗号文が挿入されているフレームの時刻情報及び誤り訂正情報の欄が空欄であっても良い。
【００３７】
また、乱数を所定周期で発生し直す場合において、１個のフレームに挿入されている、時刻情報、誤り訂正情報及び又は暗号文が、異なる乱数の発生周期に関係するものであっても良い。
【００３８】
暗号鍵生成手段１０７は、暗号鍵作成用情報記憶手段１０６に記憶された乱数などに基づいて、暗号鍵を生成して暗号化手段１０８に与える。なお、後述するように、暗号鍵生成手段１０７が内蔵する誤り訂正手段１１１が、誤り訂正情報を生成することがあり、この誤り訂正情報は、多重化・フレーム化手段１０９に与えられる。
【００３９】
暗号化手段１０８は、送信しようとする平文を、暗号鍵生成手段１０７から与えられた暗号鍵を用いて暗号化し、得られた暗号文は、多重化・フレーム化手段１０９に与えられる。
【００４０】
暗号受信装置２００においては、通常受信手段２０３が、上述したフレーム（多重情報）を受信する。クロック信号抽出手段２０４は、受信フレームに基づいて、クロック信号を抽出し、フレーム同期・情報抽出手段２０５、量子受信手段２０１及び暗号鍵作成用情報記憶手段２０２に与えられる。
【００４１】
フレーム同期・情報抽出手段２０５は、フレームに多重されている時刻情報、誤り訂正情報、暗号文を分離し、時刻情報を暗号鍵作成用情報記憶手段に与え、誤り訂正情報を暗号鍵生成手段２０６に与え、暗号文を復号化手段２０７に与える。
【００４２】
量子受信手段２０１は、暗号送信装置１００の量子送信手段１０２が送信した量子情報（正しく受信できていれば上述した乱数）を、クロック信号抽出手段２０４が抽出したクロック信号に基づいて受信するものである。量子受信手段２０１は、例えば、受信光信号の相前後するタイムスロット（乱数の１ビット期間）の位相が一致していることを検出する検出器と、タイムスロットの位相がπだけ異なることを検出する検出器とを有し、両検出器の出力に基づいて、量子情報を再生する。そのため、再生された量子信号が、暗号送信装置１００が送信しようとした乱数となっていることもあれば、乱数の各ビット値を反転した系列（反転乱数）となることもあり得る。
【００４３】
いずれにせよ、量子受信手段２０１が受信した量子情報は、受信した時刻情報と共に、暗号鍵作成用情報記億手段２０２に記憶される。すなわち、記憶される時刻情報は、暗号送信装置１００の通常送信手段１０４によって送信されたものである。
【００４４】
暗号鍵生成手段２０６は、暗号鍵作成用情報記億手段２０２の量子情報を元に、暗号鍵を生成して復号化手段２０７に与えるものである。
【００４５】
但し、暗号受信装置２００が受信した量子情報には、誤りがある可能性があるので、暗号送信装置１００及び暗号受信装置２００は、それぞれに設けられた誤り訂正手段１１１及び２０９間で誤り訂正情報や時刻情報などの通信を行い、受信した量子情報の誤り訂正を行う。両誤り訂正手段１１１及び２０９は、送信側の暗号鍵作成用情報記億手段１０６に記憶された乱数及び送信時刻情報と、受信側の暗号鍵作成用情報記億手段２０２に記憶された受信量子情報及び受信時刻情報との間接的な照合を協働して行い、誤りがあれば誤り訂正のための通信を行う。
【００４６】
暗号送信装置１００から暗号受信装置２００への誤り訂正情報の転送は、上述のようなフレームによって実行される。暗号受信装置２００の通常送信手段２０８には、暗号鍵生成手段２０６から誤り訂正情報が与えられ、また、暗号鍵作成用情報記億手段２０２から記憶されている受信時刻情報を適宜取り込み、誤り訂正情報及び又は受信時刻情報を、既存のいずれかの通信方法（例えば、既存の光通信方法）に従って、暗号送信装置１００側の通常受信装置１１０に送信する。通常受信装置１１０は、受信した誤り訂正情報及び又は受信時刻情報を誤り訂正手段１１１に与える。
【００４７】
以上のような誤り訂正のための通信の過程において、情報の漏洩が発生し、安全性が損なわれる可能性がある。そのため、暗号送信装置１００及び暗号受信装置２００の暗号鍵生成手段１０７、２０６はそれぞれ、内蔵するプライバシ増幅手段１１２、２１０によって、乱数、誤り訂正処理後の受信量子情報に基づいて生成した暗号鍵から、その一部を廃棄し、最終的な暗号鍵として、対応する暗号化手段１０８、復号化手段２０７に与える。これにより、誤り訂正のための通信時の情報の漏洩からの安全性を回復させる。例えば、両プライバシ増幅手段１１２及び２１０は、適用する一部破棄ルールが同様なものとなっている。
【００４８】
復号化手段２０７は、フレーム同期・情報抽出手段２０５から与えられた暗号文を、暗号鍵生成手段２０６から与えられた暗号鍵を用いて復号し、得られた平文を出力する。
【００４９】
第１の実施形態の特徴となる部分は、図７に示す従来のシステムでは、時刻情報を取得するための伝送路が暗号文の伝送路と別に必要であったのが、ＳＤＨ等のフレーミングを用いて伝送することにより、時刻情報を、暗号文などの他の情報と共に送受信できる点である。
【００５０】
ここでの工夫は、（ア）フレーミングによって多重を行っている、（イ）フレームにあるクロック同期機能を量子通信のクロック信号に使用している、（ウ）フレームの周期を、量子送信のビットレートの倍数（又は倍数分の１）とすることにより、送信時刻情報とビット位置とのスリップを防止する、などである。ここで、伝送路長や使用波長の違いによって、量子情報とフレームとの伝送時間に違いが発生するのであれば、この差を吸収するように、少なくとも一方の伝送路に遅延等価を行う遅延線を設けるようにすれば良い。
【００５１】
（Ａ−３）第１の実施形態の効果
第１の実施形態によれば、暗号鍵の種の情報となる量子情報の他に、送信機から受信機へ送信する必要がある、時刻情報、誤り訂正情報、暗号文を、単一の伝送路で並行して送信することができる。また、時刻情報と量子情報を対応させるための、クロック同期機能や、スリップ防止機能が容易に実現できる。
【００５２】
（Ｂ）第２の実施形態
次に、本発明による暗号通信システムの第２の実施形態を、図面を参照しながら説明する。以下では、第１の実施形態との相違点を中心に説明する。
【００５３】
図２は、第２の実施形態の暗号通信システムの構成を示すブロック図であり、第１の実施形態に係る図１との同一、対応部分には、同一、対応符号を付して示している。
【００５４】
第２の実施形態の暗号通信システム５０Ａにおいて、暗号送信装置１００Ａは、第１の実施形態と同様な構成要素１００〜１１２に加えて、波長合波手段１１３を備え、対向する暗号受信装置２００Ａは、第１の実施形態と同様な構成要素２００〜２１０に加えて、波長分波手段２１１を備えている。
【００５５】
波長合波手段１１３には、量子送信手段１０２が出力した量子情報の送信信号、及び、多重化・フレーム化手段１０９が出力したフレームの送信信号が与えられる。第２の実施形態の場合、量子送信手段１０２からの送信信号におけるキャリア波長（λ１）と、多重化・フレーム化手段１０９からの送信信号におけるキャリア波長（λ２）とが異なっており、波長合波手段１１３は、両送信信号を合波して共通の伝送路に送出する。
【００５６】
波長分波手段２１１は、このような共通の伝送路から到来した光信号を、量子情報の送信信号に係る波長成分（λ１）と、フレームの送信信号に係る波長成分（λ２）とに分波し、分波によって得られた量子情報の送信信号を量子受信手段２０１に与えると共に、分波によって得られたフレームの送信信号を通常受信手段２０３に与える。
【００５７】
以上のような量子情報及びフレームの波長多重伝送の点を除けば、各部の構成や機能は、上述した第１の実施形態と同様である。
【００５８】
上記第２の実施形態によっても、第１の実施形態と同様の効果を奏することができる。さらに、第２の実施形態によれば、伝送光ファイバを１本にできて、使用する伝送路の利用効率を高めることができるという効果を奏する。
【００５９】
（Ｃ）第３の実施形態
次に、本発明による暗号通信システムの第３の実施形態を、図面を参照しながら説明する。以下では、第２の実施形態との相違点を中心に説明する。
【００６０】
図３は、第３の実施形態の暗号通信システムの構成を示すブロック図であり、第１の実施形態に係る図１との同一対応部分には、同一、対応符号を付して示している。
【００６１】
上述した第２の実施形態は、量子情報及びフレームを波長多重伝送しようとしたものである。この第３の実施形態は、量子情報及びフレームを時分割多重伝送しようとしたものである。そのため、第３の実施形態の暗号通信システム５０Ｂにおいて、暗号送信装置１００Ｂは、第２の実施形態の波長合波手段１１３に代えて、２入力１出力の光スイッチ（ＳＷ）１１４を備え、暗号受信装置２００Ｂは、第２の実施形態の波長分波手段２１１に代えて、１入力２出力の光スイッチ（ＳＷ）２１２を備える
光スイッチ１１４は、多重化・フレーム化手段１０９からの制御信号に応じ、量子送信手段１０２が出力した量子情報、及び、多重化・フレーム化手段１０９が出力したフレームを択一的に選択して共通の伝送路に送出する。光スイッチ２１２は、フレーム同期・情報抽出手段２０５からの制御信号に応じ、共通の伝送路から到来した信号における、量子情報期間の受信信号を量子受信手段２０１に送出し、共通の伝送路から到来した信号における、フレーム期間の受信信号を通常受信手段２０３に送出する。
【００６２】
図４（Ａ１）、（Ａ２）は、多重化・フレーム化手段１０９が出力する制御信号の説明図である。量子送信手段１０２は、図４（Ａ１）に示すように、量子情報を周期的に出力する。一方、多重化・フレーム化手段１０９は、図４（Ａ２）に示すように、量子情報が出力されている期間をヌル領域（ヌル期間）とし、相前後するヌル領域間に、フレームオーバーヘッド、時刻情報、誤り訂正情報及び暗号文を含むフレームを送出する。また、多重化・フレーム化手段１０９は、ヌル領域で、量子送信手段１０２からの出力信号を選択させ、ヌル領域以外で、当該多重化・フレーム化手段１０９からの出力信号を選択させる制御信号を、光スイッチ１１４に与える。
【００６３】
暗号受信装置２００Ｂの光スイッチ（ＳＷ）２１２の制御は、上記と対称的な制御であるので、その説明は省略する。
【００６４】
図４（Ｂ１）、（Ｂ２）は、多重化・フレーム化手段１０９が出力する制御信号の他の一例の説明図である。この例では、相前後する量子情報間の期間のうち、一つおきの期間でフレームが送信されるようになされている。
【００６５】
上記第３の実施形態によっても、第１、第２の実施形態と同様の効果を奏することができる。さらに、第３の実施形態によれば、同一波長の光信号を、量子情報及びフレームの通信に利用でき、しかも、両者の干渉が小さくなるという効果を奏する。
【００６６】
（Ｄ）第４の実施形態
次に、本発明による暗号通信システムの第４の実施形態を、図面を参照しながら説明する。なお、第４の実施形態は、第１〜第３の実施形態と異なり、暗号鍵の誤り訂正を行わないものである。
【００６７】
図５は、第４の実施形態の暗号通信システムの構成を示すブロック図であり、第１の実施形態に係る上述した図１との同一、対応部分には、同一、対応符号を付して示している。
【００６８】
第４の実施形態の暗号通信システム５０Ｃも、暗号送信装置１００Ｃ及び暗号受信装置２００Ｃを備える。
【００６９】
第４の実施形態の暗号送信装置１００Ｃは、乱数発生手段１０１、量子送信手段１０２、クロック信号発生手段１０３、通常送信手段１０４、時刻情報生成手段１０５、暗号鍵作成用情報記憶手段１０６、暗号鍵生成手段１０７Ｃ、暗号化手段１０８、通常受信手段１１０、誤り訂正・検出符号付加手段１１５及び通常送信手段１１６を有する。
【００７０】
一方、暗号受信装置２００Ｃは、量子受信手段２０１、暗号鍵作成用情報記憶手段２０２、通常受信手段２０３、クロック信号抽出手段２０４、時刻情報抽出手段２０５Ｃ、暗号鍵生成手段２０６Ｃ、復号化手段２０７、通常送信手段２０８、通常受信手段２１３及び誤り訂正・検出手段２１４を有する。
【００７１】
上述のように、この第４の実施形態の場合、暗号鍵の誤り訂正を行わないものとしており、そのため、暗号鍵生成手段１０７Ｃ及び２０６Ｃには、誤り訂正手段１１１、２０９と、プライバシ増幅手段１１２、２１０が設けられていない。
【００７２】
以下では、既述した第１〜第３の実施形態と異なる点を中心に、第４の実施形態の暗号通信システム５０Ｃの動作を説明する。
【００７３】
この第４の実施形態の場合、暗号送信装置１００Ｃから暗号受信装置２００Ｃへは、量子情報（乱数）、時刻情報、暗号文を別個の伝送路で送信することとしている。そのため、第４の実施形態の暗号送信装置１００Ｃは、多重化・フレーム化手段１０９を備えず、通常送信手段１０４は、時刻情報生成手段１０５が生成した時刻情報を、量子送信手段１０２からの量子情報の送信に同期して、伝送路に送出する。
【００７４】
一方、第４の実施形態の暗号受信装置２００Ｃは、フレーム同期・情報抽出手段２０５に代え、時刻情報だけを抽出する時刻情報抽出手段２０５Ｃを備え、時刻情報抽出手段２０５Ｃは、抽出（受信）した時刻情報を暗号鍵作成用情報記憶手段２０２に与え、暗号鍵作成用情報記憶手段２０２は、量子受信手段２０１から与えられた量子情報を、時刻情報抽出手段２０５Ｃからの時刻情報と対応付けて記憶する。暗号鍵作成用情報記憶手段２０２は、記憶後には、受信した時刻情報を通常送信手段２０８に与えて送信させる。
【００７５】
第４の実施形態の暗号送信装置１００Ｃにおいて、暗号鍵生成手段１０７Ａは、通常受信手段１１０に、時刻情報が到達することにより（言い換えると、受信側に乱数が到達したことを確認できたことにより）、その時刻情報に対応した乱数を暗号鍵作成用情報記憶手段１０５から取り出して暗号鍵を生成して暗号化手段１０８に与える。
【００７６】
この第４の実施形態においては、暗号受信装置２００Ｃにおいて生成された暗号鍵の誤り訂正を行わなくても、高精度な通信を実行できるように、誤り訂正・検出符号付加手段１１５及び誤り訂正・検出手段２１４を設けている。第４の実施形態の通常送信手段２０８及び通常受信手段１１０は、受信側での暗号文に対する誤り訂正、誤り検出の結果を送信側に反映させるための通信を行うためのものとなっている。
【００７７】
誤り訂正・検出符号付加手段１１５は、伝送しようとする平文（平文データ）に対して、誤り訂正符号及び又は誤り検出符号を付加して、暗号化手段１０８に与え、暗号化手段１０８は、誤り訂正符号及び又は誤り検出符号が付加された平文を、暗号鍵生成手段１０７Ａから与えられた暗号鍵を用いて暗号文に変換し、この暗号文を通常送信手段１１６が暗号文用伝送路に送出する。
【００７８】
通常受信手段２１３は受信した暗号文を復号化手段２０７に与え、復号化手段２０７は、暗号鍵生成手段２０６Ａから与えられた暗号鍵を用いて平文に変換する。復号化手段２０７によって得られた平文は、誤り訂正符号及び又は誤り検出符号を付加されている。誤り訂正・検出手段２１４は、復号化手段２０７から出力された平文本体に誤りが生じているか、誤りが生じている場合に訂正できるかなどを判断し、誤りが検出できなかった平文（誤り訂正符号や誤り検出符号が除外された平文本体）や誤りが訂正された平文を出力する。
【００７９】
誤り訂正・検出手段２１４は、誤り訂正、誤り検出の結果を送信側に反映させるための誤り情報（例えば、誤り率情報、再送要求など）を通常送信手段２０８に与える。なお、誤り訂正・検出手段２１４は、誤り率などの統計情報を適宜得ている。
【００８０】
この第４の実施形態の通常送信手段２０８は、誤り訂正・検出手段２１４から与えられた誤り情報を送信する。通常送信手段２０８は、例えば、誤り率が所定閾値以上に高い場合などに、送信側で誤りの解析に利用できるように、受信時刻情報の取り込みを行って誤り率と共に送信するようにしても良い。
【００８１】
通常受信手段１１０は、受信した情報又それを処理した情報を、誤り訂正・検出符号付加手段１１５及び又は暗号鍵生成手段１０７Ｃに与える。
【００８２】
誤り訂正・検出符号付加手段１１５は、例えば、誤り率に応じて、誤り訂正符号の強さを変更する。高い誤り率の文章を回復するには低い誤り率の文章に適用するより、冗長性の高い符号化を行わねばならないため、実伝送レートが低下する。そのため、誤り率に応じて、誤り訂正符号の強さを動的に変更し、誤り率と誤り訂正の符号化での冗長性との関係を最適なものとする。
【００８３】
回復できない誤りに関しては、上述したように、暗号受信装置２００Ｃは、再送要求を出すことも可能である。ここで、再送は、暗号文だけでの再送であっても良く、量子情報（乱数）及び暗号文の再送であっても良い。前者の場合において、誤り訂正・検出符号付加手段１１５が誤り訂正符号の強さを前回より強めるようにしても良い。また、再送に係る時刻の情報として、受信時刻情報を用いる。量子情報を再送する場合において、図５では、通常受信手段１１０から暗号鍵生成手段１０７Ｃへ情報が通知し、この暗号鍵生成手段１０７Ｃから量子送信手段１０２に再送を指示するようになされているイメージを示しているが、暗号送信装置１００Ｃの各部を制御する制御手段（例えば、図７参照）が量子情報の再送の制御を行うようにしても良い。暗号文の再送についても同様である。なお、上記では、受信側において、再送判断を行うものを示したが、到来した誤り率などに応じて、送信側で再送判断を行うようにしても良い。
【００８４】
上述した第１〜第３の実施形態では、量子通信手段における受信鍵情報の誤りは、受信鍵情報に対する誤り訂正によって対応し、その誤り訂正のための通信で情報が漏れ出すことに対しては、プライバシ増幅機能によって補償していた。
【００８５】
これに対して、この第４の実施形態では、量子情報（乱数）又は暗号鍵の誤りは訂正せず、送信側と受信側とで、対応しない暗号鍵を用いて暗号化と復号化とを行う状態を許容する。不正確な暗号鍵を用いて復号化するため、受信された情報（平文）は、当然、誤りを含んでいる。しかし、暗号化する前に、誤り訂正符号化（又は誤り訂正、検出符号化）によって冗長な情報を付加しており、暗号鍵の誤りによる情報の誤りを回復させる。なお、暗号鍵が正しく伝送された場合でも、暗号文の伝送路でのノイズ混入により、復号された平文に誤りがある場合もあるが、この誤りも誤り訂正符号の訂正機能により訂正させることができる。また、平文に対する訂正できない程度の誤りについては再送で対応する。
【００８６】
第４の実施形態によれば、送信側は、乱数の受信時刻情報を得た後、直ちに暗号化と送信が可能となり、送信までの時間を、図７に示した従来技術より短くすることができる。また、図７に示した従来技術では、乱数（又は暗号鍵）の誤り訂正のための通信や、プライバシ向上の操作を行う必要があったが、第４の実施形態では、このような処理が不要となる。
【００８７】
（Ｅ）他の実施形態
上記各実施形態の説明でも種々変形実施形態に言及したが、さらに、以下に例示するような変形実施形態を挙げることができる。
【００８８】
上記各実施形態の説明においては、送信側で生成する暗号鍵と受信側で生成する暗号鍵（復号鍵）が同一のイメージで説明したが、公開鍵暗号方式を採用するような場合であれば、送信側で生成する暗号鍵と受信側で生成する暗号鍵（復号鍵）とが異なっていても良い。また、公開鍵暗号方式を採用しているような場合であれば、量子情報として送信するものを乱数ではなく、送信側で生成した暗号鍵とするようにしても良い。
【００８９】
上記第１〜第３の実施形態においては、量子情報以外の他の３種類の情報は全てフレームに挿入するものを示したが、３種類のうちの２種類だけをフレームに多重し、他の１種類の情報を別扱いするようにしても良い。この場合においても、３個の波長を利用した波長多重を行うようにしても良く、また、フレームも一要素としたスイッチングによる時分割多重を行うようにしても良い。
【００９０】
第４の実施形態においては、乱数及び時刻情報をパラレルに伝送するものを示したが、これらを波長多重によって伝送しても良く、また、スイッチングによる時分割多重によって伝送するようにしても良い。波長多重や時分割多重の要素として、誤り訂正・検出符号が付加された平文が暗号化された暗号文を含めるようにしても良い。
【００９１】
第４の実施形態においては、時刻情報及び暗号文をパラレルに伝送するものを示したが、フレーム化して伝送するようにしても良い。
【図面の簡単な説明】
【００９２】
【図１】第１の実施形態の暗号通信システムの構成を示すブロック図である。
【図２】第２の実施形態の暗号通信システムの構成を示すブロック図である。
【図３】第３の実施形態の暗号通信システムの構成を示すブロック図である。
【図４】第３の実施形態の量子情報とフレームとの時分割多重の説明図である。
【図５】第４の実施形態の暗号通信システムの構成を示すブロック図である。
【図６】量子通信技術を用いた基本的な従来の暗号通信システムの構成を示すブロック図である。
【図７】復号鍵の生成用情報だけを量子通信する従来の暗号通信システムの構成を示すブロック図である。
【符号の説明】
【００９３】
５０、５０Ａ…暗号通信システム、
１００、１００Ａ、１００Ｂ、１００Ｃ…暗号送信装置、１０１…乱数発生手段、１０２…量子送信手段、１０３…クロック信号発生手段、１０４…通常送信手段、１０５…時刻情報生成手段、１０６…暗号鍵作成用情報記憶手段、１０７、１０７Ｃ…暗号鍵生成手段、１０８…暗号化手段、１０９…多重化・フレーム化手段、１１０…通常受信手段、１１１…誤り訂正手段、１１２…プライバシ増幅手段、１１３…波長合波手段、１１４…光スイッチ、１１５…誤り訂正・検出符号付加手段、１１６…通常送信手段、
２００、２００Ａ、２００Ｂ、２００Ｃ…暗号受信装置、２０１…量子受信手段、２０２…暗号鍵作成用情報記憶手段、２０３…通常受信手段、２０４…クロック信号抽出手段、２０５…フレーム同期・情報抽出手段、２０５Ｃ…時刻情報抽出手段、２０６、２０６Ｃ…暗号鍵生成手段、２０７…復号化手段、２０８…通常送信手段、２０９…誤り訂正手段、２１０…プライバシ増幅手段、２１１…波長分波手段、２１２…光スイッチ、２１３…通常受信手段、２１４…誤り訂正・検出手段。
【図１】
2008005046.tif 000003
【図２】
2008005046.tif 000004
【図３】
2008005046.tif 000005
【図４】
2008005046.tif 000006
【図５】
2008005046.tif 000007
【図６】
2008005046.tif 000008
【図７】
2008005046.tif 000009